(57)【要約】【課題】  フロート周辺の容積的を大きくせずに、フロート動作を確実に行うことができるウエットアンドドライタイプの電気掃除機を提供する。【解決手段】  水と一緒のゴミは電動機送風機２で吸引される。ダストカップ４内に配置され、吸い取った水に含まれるゴミがフロート７の方に行かないように、フロート７の周囲に設けられたフィルター１１により、ゴミはフィルター６の外周の集塵室１０に貯えられ、水分はフィルター１１を介してフロート側に浸入する。フロート７はそのフィルター１１の内面に沿って動くようにしているので、図２に示すように、吸引した水が増加すると、フロート７はフィルター１１の内面に沿って上昇する。水の吸込量が所定のレベル１２まで達すると、フロート７の上面が電動送風機２への水の浸水を防ぐために電動送風機の吸引口９を閉じる作用を行なう。【選択図】      図２
2006334052.tif 000002
【特許請求の範囲】
【請求項１】
電動機送風機を内蔵した掃除機本体に連結されるホースと、吸気流路の途中に配置されたダストカップと、電動送風機からの排気を排出する排気口を有する水も吸えるウエットアンドドライタイプの電気掃除機において、前記ダストカップ内に、水の吸込量が所定のレベルまで達すると、電動送風機への吸引口を閉じるフロートを有し、該フロートの周囲には、その動きを阻害しないために、フロートの方にゴミが行かないようにフィルターを設け、該フロートが該フィルターの内面に沿って可動にしたことを特徴とする電気掃除機。
【請求項２】
上記所定のレベルは電動送風機部に水が浸入するレベルであることを特徴とする請求項１に記載の電気掃除機。
【請求項３】
上記フィルターはプリーツで筒状に形成されていることを特徴とする請求項１に記載の電気掃除機。
【請求項４】
上記フィルターは、ゴミは通さず、空気と水は通す不織布でなることを特徴とする請求項１乃至請求項３に記載の電気掃除機。
【発明の詳細な説明】
【技術分野】
【０００１】
本発明は電気掃除機に係り、特に水も吸えるウエットアンドドライタイプの電気掃除機に関する。
【背景技術】
【０００２】
電気掃除機として、通常の家庭で使用されるタイプのものはもとより、主に業務用で使用されるウエットアンドドライタイプの電気掃除機が知られている（例えば、特許文献１を参照）。図４には、水も吸えるウエットアンドドライタイプの電気掃除機の一例を示す。電動機送風機２を内蔵した電気掃除機本体１に連結されるホース３と、吸気流路の途中に配置されたダストカップ４と、電動送風機２からの排気を排出する排気口５を有する。前記ダストカップ４内には、フロートの動作ガイド８に沿って吸い取った水の水量に応じて浮き上がって上昇するフロート７が設けられる。
【０００３】
通常、水を含まないゴミのみは電動機送風機２で吸引し、ダストカップ４内のフィルター６の外周の集塵室１０にゴミを貯められる。一方、水と一緒のゴミは、同様に、電動機送風機２で吸引し、ダストカップ４内に配置され、吸い取った水に含まれるゴミがフロート７の方に行かないように、フロート７の周囲に設けられたフィルター６を介してフィルター６内のフロート７側に浸入する。ゴミはフィルター６の外周の集塵室１０に貯えられる。
【０００４】
吸引した水が増加すると、フロート７はフロート動作ガイド８に沿って上昇する。水の吸込量が所定のレベルまで達すると、フロート７の上面が電動送風機２への水の浸水を防ぐために電動送風機の吸引口９を閉じる作用を行なう。図５に、水の吸込量が所定のレベル１２まで達し、電動送風機２への水の浸水を防ぐためにフロートが動作して電動送風機の吸引口９を閉じている状態を示す。
【特許文献１】特開平７−３９４８０号公報
【発明の開示】
【発明が解決しようとする課題】
【０００５】
従来のウエットアンドドライタイプの電気掃除機は、水の吸込み量が多くなり、モータ部に侵入するレベルまで達すると、モータへの吸引口を閉じるフロートをもち、フロートの周囲には、フロートの動きを案内する動作ガイドが設けられ、更に、動作ガイドの周囲には、その動きを阻害しないために、フロートの方にゴミが行かないようにフィルターが設けられている。そのフィルターは、ゴミ詰まりを防ぐために相当広い表面積をもたなければならず、また、その内部にあるフロートの動作ガイドなどでフロート周辺は容積的に大きくなり、そのため、限られたダストカップ容積で考えると集塵容積が小さくなるとう問題があった。そこで本発明は、フロート周辺の容積を大きくせずに、フロート動作を確実に行うことができるウエットアンドドライタイプの電気掃除機を提供することを目的とする。
【課題を解決するための手段】
【０００６】
上記課題を解決するために、本発明の請求項１に係る電気掃除機は、電動機送風機を内蔵した掃除機本体に連結されるホースと、吸気流路の途中に配置されたダストカップと、電動送風機からの排気を排出する排気口を有する水も吸えるウエットアンドドライタイプの電気掃除機において、前記ダストカップ内に、水の吸込量が所定のレベルまで達すると、電動送風機への吸引口を閉じるフロートを有し、該フロートの周囲には、その動きを阻害しないために、フロートの方にゴミが行かないようにフィルターを設け、該フロートが該フィルターの内面に沿って可動になるように構成した。
【０００７】
こうして、フロー卜の周囲にその動きを阻害しないために、フロートの方にゴミが行かないようにフィルターを設け、該フロートが該フィルターの内面に沿って可動にしたことにより、フロートの動作ガイドを別に設ける必要もなく、簡単な構成でダストカップの集塵容積を下げずにフロート動作の保護を行なうことができ、電動機送風機への水の浸入を防止することができる。
【０００８】
本発明の請求項２に係る電気掃除機は、電動機送風機を内蔵した掃除機本体に連結されるホースと、吸気流路の途中に配置されたダストカップと、電動送風機からの排気を排出する排気口を有する水も吸えるウエットアンドドライタイプの電気掃除機において、前記ダストカップ内に、水の吸込量が電動送風機部に水が浸入するレベルまで達すると、電動送風機への吸引口を閉じるフロートを有し、該フロートの周囲には、その動きを阻害しないために、フロートの方にゴミが行かないようにフィルターを設け、該フロートが該フィルターの内面に沿って可動になるように構成した。
【０００９】
本発明の請求項３に係る電気掃除機は、電動機送風機を内蔵した掃除機本体に連結されるホースと、吸気流路の途中に配置されたダストカップと、電動送風機からの排気を排出する排気口を有する水も吸えるウエットアンドドライタイプの電気掃除機において、前記ダストカップ内に、水の吸込量が所定のレベルまで達すると、電動送風機への吸引口を閉じるフロートを有し、該フロートの周囲には、その動きを阻害しないために、フロートの方にゴミが行かないようにフィルターはプリーツで筒状に形成されたフィルターを設け、該フロートが該フィルターの内面に沿って可動になるように構成した。
【００１０】
こうして、フロー卜の周囲にその動きを阻害しないために、フロートの方にゴミが行かないようにフィルターを設け、該フロートが該フィルターの内面に沿っ可動にしたことにより、簡単な構成でダストカップの集塵容積を下げずにフロート動作の保護を行なうことができ、かつフィルターをプリーツで筒状に形成することにより、フィルターの表面積を大きくするためにフィルター自体の容積を大きくとる必要はなく、電動機送風機への水の浸入を防止することができる。
【００１１】
本発明の請求項４に係る電気掃除機は、上記請求項１乃至請求項３に記載の水も吸えるウエットアンドドライタイプ／の電気掃除機において、上記フィルターは、ゴミは通さず、空気と水は通す不織布で構成した。
【発明の効果】
【００１２】
このように、本発明の電気掃除機は、フロー卜の周囲にその動きを阻害しないために、フロートの方にゴミが行かないようにフィルターを設け、該フロートが該フィルターの内面に沿って可動にしたことにより、簡単な構成でダストカップの集塵容積を下げずにフロート動作の保護を行なうことができ、電動機送風機への水の浸入を防止することができる。また、フィルターをプリーツで筒状に形成することにより、フィルターの表面積を大きくするためにフィルター自体の容積を大きくとる必要はなくなる。また、フロートの動作ガイドを別に設ける必要もなくなる。
【発明を実施するための最良の形態】
【００１３】
本発明の電気掃除機の実施形態を図１〜図３を参照して説明する。図１は本発明の電気掃除機を示す断面図であり、図２は本発明の電機掃除機のフロート動作時の断面図、図３は本発明の電気掃除機に使用するフィルターの断面図である。図において、図４、図５と同一物には同じ符号を付しており、１は電気掃除機本体、２は電動機送風機、３はホース、４はダストカップ、５は排気口、７は中空円筒状のフロート、９は電動送風機の吸引口、１０はゴミ集塵室、１１はフィルターである。フロート７はそのフィルター１１の内面に沿って動くように形成されている。
【００１４】
本発明の電気掃除機に使用するフィルターは、図３に示すように、単に円筒状あるいはプリーツで筒状に形成されている。プリーツで筒状に形成すると、フィルターの表面積を大きくすることができ、フィルター自体の容積を大きくとる必要はなくなる。フィルター１１の材質は、ゴミは通さず、空気と水は通す不織布が好ましい。
【００１５】
図１において、通常、水を含まないゴミは電動機送風機２で吸引し、ダストカップ４内のフィルター１１の外周の集塵室１０に貯えられる。一方、水と一緒のゴミは、同様に、電動機送風機２で吸引される。ダストカップ４内に配置され、吸い取った水に含まれるゴミがフロート７の方に行かないように、フロート７の周囲に設けられたフィルター１１により、ゴミはフィルター６の外周の集塵室１０に貯えられ、水分はフィルター１１を介してフロート側に浸入する。
【００１６】
フロート７はそのフィルター１１の内面に沿って動くようにしているので、図２に示すように、吸引した水が増加すると、フロート７はフィルター１１の内面に沿って上昇する。水の吸込量が所定のレベル１２まで達すると、フロート７の上面が電動送風機２への水の浸水を防ぐために電動送風機の吸引口９を閉じる作用を行なう。
【００１７】
このよう、本発明の電気掃除機は、フロー卜の周囲にその動きを阻害しないために、フロートの方にゴミが行かないようにフィルターを設け、該フロートが該フィルターの内面に沿っ可動にしたことにより、簡単な構成でダストカップの集塵容積を下げずにフロート動作の保護を行なうことができる。また、フィルターをプリーツで筒状に形成することにより、フィルターの表面積を大きくするためにフィルター自体の容積を大きくとる必要はなくなる。また、フロートの動作ガイドを別に設ける必要もなくなる。
【図面の簡単な説明】
【００１８】
【図１】本発明のウエットアンドドライタイプの電気掃除機の断面図。
【図２】本発明のウエットアンドドライタイプの電気掃除機の断面図（フロート動作図）。
【図３】本発明の電気掃除機に使用するフィルターの構成図。
【図４】従来のウエットアンドドライタイプの電気掃除機の断面図。
【図５】従来のウエットアンドドライタイプの電気掃除機の断面図（フロート動作図）。
【符号の説明】
【００１９】
１          電気掃除機本体
２          電動機送風機
３          ホース
４          ダストカップ
５          排気口
６          フィルター
７          フロート
８          フロートの動作ガイド
９          電動送風機の吸引口
１０        集塵室
１１        フィルター
１２        水の上昇レベル
【図１】
2006334052.tif 000003
【図２】
2006334052.tif 000004
【図３】
2006334052.tif 000005
【図４】
2006334052.tif 000006
【図５】
2006334052.tif 000007